(57)【要約】      （修正有）【課題】レトルト食品を密封して保存する保存用の容器と飲食用の容器とを兼ねるレトルトパウチであって多くのフィルムを使用せずに生産できるもの、及びそのレトルトパウチに食品を収容したレトルト食品を提供する。【解決手段】  フィルム２と、フィルム２のシール領域２ｂに対向するシール領域３ｂがシールされるフィルム３と、フィルム２，３のシール領域２ｃ，３ｃに中央を囲む縁部の一側のシール領域４ｃ及び他側のシール領域４ｂがそれぞれシールされ、シール領域４ｂ，４ｃの裏面に設けられた２組の接着領域が接着されるフィルム４と、からレトルトパウチを構成する。【選択図】図２
0003187834.tif 000002
【実用新案登録請求の範囲】
【請求項１】
飲食物を密封するレトルトパウチであって、
第１シートと、
前記第１シートの第１方向の両端部の前記第１方向に交差する第２方向の一側に、前記両端部にそれぞれ対向する２つの端部の前記第２方向の一側がシールされた第２シートと、
前記第１及び第２シートの前記第２方向の他側の縁部に中央を囲む縁部の一側及び他側がそれぞれシールされた第３シートと、
を備えることを特徴とするレトルトパウチ。
【請求項２】
前記第１シート及び第２シートは、前記第２方向の一側の端部が互いにシールされ、前記第１方向の少なくとも一側に切り欠きが形成されることを特徴とする、請求項１に記載のレトルトパウチ。
【請求項３】
前記第１シート及び第２シートは、前記切り欠きを利用して前記第１シート及び第２シートを前記第１方向に裂いた際に、前記第２方向の幅に対して大きい前記第１方向の幅を有することを特徴とする、請求項２に記載のレトルトパウチ。
【請求項４】
前記第１シート及び第２シートとシールされる縁部に囲まれる前記第３シートの中央は略楕円形状を有することを特徴とする、請求項１〜３のいずれか一項に記載のレトルトパウチ。
【請求項５】
前記第１シート及び第２シートの前記第２方向の長さが１８０ｍｍ以下であることを特徴とする、請求項１〜４のいずれか一項に記載のレトルトパウチ。
【請求項６】
前記第１シート及び第２シートの形状が、長方形であることを特徴とする、請求項１〜５のいずれか一項に記載のレトルトパウチ。
【請求項７】
前記第１シート及び第２シートの形状が、前記第２方向の前記一側端の第一の長方形と、前記第２方向の前記他側端の第二の長方形と、前記第一の長方形の１辺を下底とし前記第二の長方形の１辺を上底とする等脚台形とから構成され、
前記上底は前記下底より短いことを特徴とする、請求項１〜５のいずれか一項に記載のレトルトパウチ。
【請求項８】
請求項１〜７のいずれか一項に記載のレトルトパウチに食品を収容したことを特徴とする、レトルト食品。
【請求項９】
前記食品は常温で食されるものであることを特徴とする、請求項８に記載のレトルト食品。 
【考案の詳細な説明】
【技術分野】
【０００１】
本考案は、飲食物を密封するレトルトパウチ及びレトルトパウチに食品を収容したレトルト食品に関する。
【背景技術】
【０００２】
地震等の災害に備えて食料が備蓄される。クラッカー、乾パン等の乾燥炭水化物の食品が備蓄されることが多いが、栄養の観点からまた被災者の嗜好性の観点から、水分、脂肪、タンパク質をも含む食品を備蓄することが好ましい。
【０００３】
水分を含む食品を備蓄するための容器としては、ポリプロピレン、ポリエステル等の合成樹脂フィルム、又はさらにアルミ箔が積層加工（ラミネート加工）された可撓性のフィルム等から形成される袋体であり、レトルト食品を密封し、保存することができるレトルトパウチ（単にパウチとも呼ぶ）が知られている。
【０００４】
レトルトパウチには、封筒状の平袋、底が広がるように形成され自立可能なスタンディングパウチが知られている。平袋は紙箱に入れて販売され、スタンディングパウチは袋体のまま販売され、棚等に立てて保管されることが多い。これらのパウチは、収容されたレトルト食品を、必要に応じて加熱した後、食器（丼、皿等の食品を載せるものを言い、箸、スプーン等の手に持つものを含まない。本明細書において以下同じ。）に移して飲食するのが通常である。しかし、食品に加えて食器をも備蓄することは、備蓄する物資の体積を大きくしてしまい、備蓄を困難にする。
【０００５】
特許文献１には、底部がフラットに形成されて台の上に安定して自立し、食器としても利用することのできるレトルトパウチが開示されている。この形状のパウチは、レトルト食品を保存する容器（保存用の容器）だけでなく、それを用いて飲食できる食器（飲食用の容器）にもなるため、食器を備蓄せずに災害時に食することができる。しかし、パウチを形成するのに多くのフィルムを必要とし、生産が容易ではない。
【先行技術文献】
【特許文献】
【０００６】
【特許文献１】特開２０１１−１７８４６１号公報
【考案の概要】
【考案が解決しようとする課題】
【０００７】
本考案は、レトルト食品を密封して保存する保存用の容器と飲食用の容器とを兼ねるレトルトパウチであって多くのフィルムを使用せずに生産できるもの、及びそのレトルトパウチに食品を収容したレトルト食品を提供することを課題とする。
【課題を解決するための手段】
【０００８】
本考案のレトルトパウチは、飲食物を密封するレトルトパウチであって、第１シートと、前記第１シートの第１方向の両端部の前記第１方向に交差する第２方向の一側に、前記両端部にそれぞれ対向する２つの端部の前記第２方向の一側がシールされた第２シートと、前記第１及び第２シートの前記第２方向の他側の縁部に中央を囲む縁部の一側及び他側がそれぞれシールされ、該一側及び他側のそれぞれの裏面の少なくとも一部が互いに接着された第３シートと、を備えることを特徴とする。
【０００９】
これによれば、飲食物を収容する袋体状のレトルトパウチが構成され、その内部に飲食物を収容することで第３シートの中央が広がり、第１及び第２シートの第２方向の他側の端部に支持されて自立するとともに、凹状の底部を有する容器を形成する。
【００１０】
本考案のレトルトパウチは、前記第１及び第２シートは、前記第２方向の一側の端部が互いにシールされ、前記第１方向の少なくとも一側に切り欠きが形成されることを特徴とする。
【００１１】
これによれば、第１及び第２シートの第２方向の一側の端部を互いにシールすることで内部に収容される飲食物が密封され、切り欠きを利用して第１及び第２シートを第１方向に裂くことで袋体を開けることができる。
【００１２】
本考案のレトルトパウチは、前記第１及び第２シートは、前記切り欠きを利用して前記第１及び第２シートを前記第１方向に裂いた際に、前記第２方向の幅に対して大きい前記第１方向の幅を有することを特徴とする。
【００１３】
これによれば、第３シートの中央により形成される底部に対して第１及び第２シートを裂くことで形成される開口が十分に大きくなり、より好適な食器として機能する。
【００１４】
本考案のレトルトパウチは、前記第１及び第２シートとシールされる縁部に囲まれる前記第３シートの中央は略楕円形状を有することを特徴とする。
【００１５】
これによれば、第３シートの略楕円形状の中央により大きな袋体の底部が構成され、収容量が大きくなるとともに、第１及び第２シートの第２方向の他側の端部がより広がりより安定に自立する。
【００１６】
本考案のレトルトパウチは、前記第１シート及び第２シートの前記第２方向の長さが１８０ｍｍ以下であることを特徴とする。
【００１７】
これによれば、自立した容器が十分に浅く、箸、スプーン等によって容器の底部の食品を容易に取り出すことができる。
【００１８】
本考案のレトルトパウチは、前記第１シート及び第２シートの形状が、長方形であることを特徴とする。
【００１９】
これによれば、簡易な形状のシートでレトルトパウチを安価に生産することができる。
なお、ここで「長方形」は厳密に長方形でなく、頂点が円形に切り取られている等のシール領域の変形があってもよい。
【００２０】
本考案のレトルトパウチは、前記第１シート及び第２シートの形状が、前記第２方向の前記一側端の第一の長方形と、前記第２方向の前記他側端の第二の長方形と、前記第一の長方形の１辺を下底とし前記第二の長方形の１辺を上底とする等脚台形とから構成され、前記上底は前記下底より短いことを特徴とする。
【００２１】
これによれば、自立した際に上部の開口が大きい、丼状、皿状等のレトルトパウチとなる。
【００２２】
本考案のレトルト食品は、上記レトルトパウチに食品を収容したことを特徴とする。
【００２３】
食器に移すことなく食することができる。食器として箸、スプーン等を備蓄するだけで、皿等を備蓄しなくても災害用の保存食とできる。
【００２４】
本考案のレトルト食品は、前記食品は常温で食されるものであることを特徴とする。
【００２５】
湯を準備する等して温めることなく、食することができる。温めることが困難な災害時に有効である。
【考案の効果】
【００２６】
本考案のレトルトパウチによれば、レトルト食品を密封して保存する保存用の容器と飲食用の容器とを兼ねるレトルトパウチを提供することができる。また、そのレトルトパウチを利用したレトルト食品を提供することができる。
【図面の簡単な説明】
【００２７】
【図１】図１（Ａ）及び（Ｂ）は、それぞれ、レトルトパウチの側部及び底部を形成するシートの構成を示す図である。（実施例１）
【図２】図２は、レトルトパウチを形成する一手順を説明するための図である。（実施例１）
【図３】図３は、レトルトパウチの構成を示す図である。（実施例１）
【図４】図４（Ａ）は、レトルトパウチの側部を形成するシートの構成を示す図である。図４（Ｂ）は、レトルトパウチの構成を示す図である。（実施例２）
【考案を実施するための形態】
【実施例１】
【００２８】
図１（Ａ）及び（Ｂ）に、それぞれ、本実施形態に係るレトルトパウチ１の側面を構成する可撓性フィルム（単にフィルムと呼ぶ）２，３及び底面を構成するフィルム４を示す。
【００２９】
フィルム２，３（第１シート、第２シート）は、高さ約１６０ｍｍ、横幅約１８０ｍｍの矩形状を有する。その４つの角部は丸く加工されている。フィルム２，３の横方向（第１方向）の両端部には、互いに貼り合わせるための領域であり、一定の幅（約５ｍｍ）のシール領域２ｂ，３ｂが設けられている。また、縦方向（第２方向）の下端には、フィルム４と貼り合わせるための領域であり、両端が中央に対して幅広のシール領域２ｃ，３ｃが設けられている。本実施形態では、シール領域２ｃ，３ｃの境界は放物線状に配置することとするが、これに限らず、シール領域２ｃ，３ｃの中央の幅が狭く、両端で幅広であれば、例えばＶ字状に配置することとしてもよい。なお、シール領域２ｂ，３ｂはシール領域２ｃ，３ｃの両端上部に連接する。
【００３０】
フィルム４（第３シート）は、縦幅約１００ｍｍ、横幅約１８０ｍｍの矩形状を有する。その４つの角部は丸く加工されている。フィルム４は、その中心を通って横方向に延びる基準線（折り曲げのための仮想線）Ｌ１に対して対称な略楕円形状の領域４ａを中央に有し、その領域の基準線Ｌ１の上側（下側）の半部にフィルム３（２）のシール領域３ｃ（２ｃ）とシールされるシール領域４ｂ（４ｃ）が設けられている。シール領域４ｂ，４ｃの裏面には、それらを互いに接着するための略円形状の２組の接着領域４ｄが、基準線Ｌ１に対して対称なフィルム４の４つの角部近傍の位置に設けられている。
【００３１】
フィルム２，３，４として、例えば、ポリプロピレン、ポリエステル等の合成樹脂フィルム、又はさらにアルミ箔が積層加工（ラミネート加工）されたフィルムを採用するが、レトルト食品を収容して密封可能な可撓性、レトルト食品の加熱に耐え得る耐熱性、スタンディングパウチを構成した際に自立可能な程度の剛性等を有するものであればいずれのフィルムを採用してもよい。
【００３２】
図２に示すように、レトルトパウチ１は、３つのフィルム２，３，４を用いて形成される。まず、フィルム２，３の内面を互いに対向し、フィルム４をその上面を表に向けて基準線Ｌ１について二つ折りし、その折辺を上に向け、一片（シール領域４ｂ）をフィルム３（シール領域３ｃ）に、他片（シール領域４ｃ）をフィルム２（シール領域２ｃ）に対向する。次に、図中矢印を用いて示すように、互いに対向するフィルム２，３のシール領域２ｂ，３ｂ、フィルム３のシール領域３ｃとフィルム４のシール領域４ｂと、フィルム２のシール領域２ｃとフィルム４のシール領域４ｃと、をそれぞれヒートシール（熱融着）する。シール後、図中矢印を用いて示すように、フィルム４の裏面に設けられた互いに対向する２組の接着領域４ｄを接着する（１組の接着領域４ｄは不図示）。最後に、シールされたフィルム２，３の両端部に、上端から約３０ｍｍの位置にそれぞれ切り欠き２ｄ，３ｄ（図３参照）を設ける。
【００３３】
図３に、完成したレトルトパウチ１の構成を示す。フィルム２，３の内面２ａ，３ａとフィルム４の中央の領域４ａとから、レトルト食品を収容する袋体状のレトルトパウチ１が形成される。レトルト食品は、フィルム２，３の上端により形成される開口を介して袋体内に充填することができる。充填後、フィルム２，３の上端をヒートシールすることで、レトルト食品が密封される。
【００３４】
本実施形態のレトルトパウチ１は、袋体内にレトルト食品を充填することで、フィルム４の中央の領域４ａが広がり凹状の底面を構成する。同時に袋体の側面を形成するフィルム２，３が離間する方向に広がり、これによりフィルム２，３の下端が広がり、袋体を支持する脚部を構成する。従って、レトルトパウチ１はフィルム２，３の下端により自立することで、フィルム２，３，４により形成される袋体は飲食用の容器（食器）としても利用することができる。
【００３５】
飲食時には、切り欠き２ｄ，３ｄを利用して、フィルム２，３を基準線Ｌ２に沿って横方向に裂くことでレトルトパウチ１を開封する。それにより、高さ約７０ｍｍ（最大深さ約６０ｍｍ）、幅約１５０ｍｍの容器（食器）を形成する。
【００３６】
以上詳細に説明したように、本実施形態のレトルトパウチ１は、フィルム２と、フィルム２のシール領域２ｂに対向するシール領域３ｂがシールされるフィルム３と、フィルム２，３のシール領域２ｃ，３ｃに中央を囲む縁部の一側のシール領域４ｃ及び他側のシール領域４ｂがそれぞれシールされ、シール領域４ｂ，４ｃの裏面に設けられた２組の接着領域４ｄが接着されるフィルム４と、から構成される。それにより、少ないフィルムからレトルト食品を収容する袋体状のパウチが構成され、その内部に飲食物を収容することでフィルム４の中央の領域４ａが広がり、フィルム２，３の下端に支持されて自立する容器を形成する。従って、レトルト食品を密封して保存する容器と飲食用の容器（食器）とを兼ねるレトルトパウチが提供される。
【００３７】
また、本実施形態のレトルトパウチ１によると、フィルム４の中央の領域４ａを略楕円形状とすることにより、領域４ａにより大きな袋体の底部が形成されて収容量が大きくなるとともに、フィルム２，３の下端が広がってより安定に袋体が支持される、すなわちレトルトパウチ１がより安定に自立する。
【００３８】
なお、本実施形態のレトルトパウチ１では、フィルム２，３の横方向の両端に切り欠き２ｄ，３ｄを設けることとしたが、一端のみに設けることとしてもよい。
【実施例２】
【００３９】
本実施形態は、実施例１の実施形態に対して、フィルム２，３の形状のみを替えるものである。他は実施例１と同様であり、説明を省略する。
【００４０】
図４（Ａ）に、本実施形態に係るレトルトパウチの側部を形成するシートの構成を示す。フィルム２（３）は、図に示す点線（補助用の線であり、実体としては何もない）で分割されるように、２つの長方形と１つの等脚台形を合わせた形状である。
【００４１】
図４（Ｂ）に、レトルトパウチの構成を示す。上面が広く開口し、皿のような形状となる。
【００４２】
以上、２つの実施形態を述べた。これらの実施形態のレトルトパウチに食品を収容してレトルト食品とすることができる。食器に移すことなく食することができるので、食器として箸、スプーン等を備蓄するだけで、皿等を備蓄しなくても災害用の保存食とできる。
【００４３】
また、食品を常温で食されるものとすることで、湯を準備する等して温めることなく、食することができる。温めることが困難な災害時に有効である。
【産業上の利用可能性】
【００４４】
本考案のレトルトパウチ１は、飲食用の容器（食器）を兼ねるレトルトパウチとして有用である。
【符号の説明】
【００４５】
１…レトルトパウチ
２，３，４…フィルム
２ｂ，２ｃ，３ｂ，３ｃ，４ｂ，４ｃ…シール領域
２ｄ，３ｄ…切り欠き
４ｄ…接着領域
【図１】
0003187834.tif 000003
【図２】
0003187834.tif 000004
【図３】
0003187834.tif 000005
【図４】
0003187834.tif 000006